(57)【特許請求の範囲】
【請求項１】
複数の種類の遠隔制御装置から発信される遠隔制御信号を受信し得る遠隔制御信号受信部と、一の被制御機器用の遠隔制御装置から発信される遠隔制御信号が前記遠隔制御信号受信部で受信されたときに、該受信された信号を解析して当該被制御機器の種別を判定する被制御機器判定部と、前記被制御機器判定部による判定結果に応じて、当該被制御機器の種別に適合する制御信号の命令コード体系に係る情報をワールド・ワイド・ウェブ・ページから取得する命令コード情報取得部と、前記命令コード情報取得部によって取得された命令コード体系に係る情報を保持する命令コード情報保持部と、前記命令コード情報保持部で保持された命令コード体系に係る情報に基づいて前記遠隔制御信号受信部で受信された遠隔制御信号に対応した命令コードの再発信制御信号を形成する再発信制御信号形成部と、前記再発信制御信号形成部で形成された再発信制御信号を目的とする被制御機器に伝送する再発信制御信号伝送部と、を含んで構成された遠隔制御信号再発信装置であって、
前記被制御機器判定部は、当該被制御機器に付属の遠隔制御装置からの入力信号の受信を待機し、該待機後の当初の一回の前記入力信号の受信時に前記入力信号に基づいて当該被制御機器が既に登録済のものであるか否かを判定するように構成され、且つ、前記遠隔制御信号受信部で受信された遠隔制御信号を解析した結果、当該被制御機器は本遠隔制御信号再発信装置であると判定したときには前記命令コード情報取得部を作動させず当該受信された遠隔制御信号に応じて前記再発信制御信号形成部を作動させ、当該被制御機器は本遠隔制御信号再発信装置ではないと判定したときに前記命令コード情報取得部を作動させるように構成され、更に、
無線または有線で供給される放送波を受けて該放送波に復調処理を施してトランスポートストリームを抽出し選局に応じた映像及び音声並びに番組情報を取得するためのフィルタリング処理を行う復調・フィルタリング部と、前記復調・フィルタリング部の映像出力を表示に適合する信号に変換するための処理を行う映像処理部と、前記復調・フィルタリング部の音声出力を発音を行うに適合する信号に変換する音声処理部と、前記復調・フィルタリング部の出力に含まれる番組情報を表示するための処理を行うＯＳＤ部と、前記映像処理部およびＯＳＤ部の出力に基づく映像を表示する表示装置と、前記音声処理部の出力に基づく音声を発音する発音装置と、を更に備え、前記復調・フィルタリング部、映像処理部、音声処理部、ＯＳＤ部、表示装置、および、発音装置によって本遠隔制御信号再発信装置がデジタルテレビジョン受像機としても機能し得るように構成され、更にまた、
前記被制御機器判定部による判定結果に応じて、当該被制御機器の種別に適合する遠隔操作用の制御操作パターンを表すためのパターン表示データを生成するパターン表示データ生成部と、該パターン表示データ生成部によって生成されたパターン表示データに基づいて前記ＯＳＤ部を通して前記表示装置に当該遠隔操作用の制御操作パターンを表示する制御操作パターン表示部と、を備えたことを特徴とする遠隔制御信号再発信装置。
【請求項２】
前記遠隔制御信号受信部は、本遠隔制御信号再発信装置に付属の正規の遠隔制御装置から発信される赤外線による遠隔制御信号を受信するように構成され、且つ、前記再発信制御信号伝送部は赤外線による再発信制御信号を外部機器に伝送するように構成されていることを特徴とする請求項１に記載の遠隔制御信号再発信装置。
【請求項３】
前記遠隔制御信号受信部は、本遠隔制御信号再発信装置に付属の正規の遠隔制御装置から発信される赤外線による遠隔制御信号を受信するように構成され、且つ、前記再発信制御信号伝送部はＤＬＮＡ（Digital Living Network Alliance）所定のガイドラインに準拠した通信方式で外部機器との連携動作を行うためのＤＬＮＡインターフェース部によって構成されていることを特徴とする請求項１に記載の遠隔制御信号再発信装置。
【発明の詳細な説明】
【技術分野】
【０００１】
本発明は、自らが自己に対応する所謂リモコン等の遠隔制御装置によって制御操作され得るように構成されると共に、同じ遠隔制御装置からの制御信号に所要の変換を施して再発信することによって、関連する他の種々の機器をも遠隔操作することを可能にした遠隔制御信号再発信装置に関する。
【背景技術】
【０００２】
近年、例えば、家庭内で用いられる種々の被制御装置を手許の遠隔制御装置（所謂リモコン）で遠隔操作することが普通に行われるようになっている。より具体的には、映像記録再生装置（テレビジョン受像機、ＤＶＤレコーダ、ＨＤＤレコーダ、ＶＴＲ等）、音響システム等々、多くのものが赤外線によるリモコンで遠隔操作される。
特に、１台の表示パネル装置（それ自体は、例えば、デジタルテレビジョン受像機としても機能する）に対応して、リモコンで遠隔操作される機器が多数あると、各被制御装置毎に専用のリモコンを使い分けることが大変煩わしくなる。更に、それら被制御装置毎の各リモコンを適切に保管乃至管理しなくてはならないことになると一層煩雑さが助長されてしまうといった現実がある。このような少なからぬ数の被制御装置毎に各個のリモコンが夫々対応していて、所要に応じて使い分けなくてはならない煩雑さという課題に着目して、その解決の方途に関する提案もなされている。
【０００３】
例えば、リモコンに備えられたジョイスティックへの操作状況に応じて赤外光の信号が投射され、テレビジョン受像機内の受光部で一旦受光され、テレビジョン受像機内で対象機器（例えば、複数設けられたＶＴＲのうちの目的とする一のもの）の所定の操作に適合する赤外光制御信号に変換されてその対象機器に投射されるように構成することにより、一つの操作部（ジョイスティック）への操作によって、複数種類の被制御装置を意図通りに操作することができるようにする技術も提案されている。
【０００４】
この提案の場合、被制御装置（ＶＴＲ）の操作部のイメージを表わす画像として、その機器（ＶＴＲ）専用のリモコンの操作スイッチのレイアウト図を所謂ピクチャーインピクチャーの形態でテレビジョン受像機における本来の表示対象とする映像の画面中に重畳させて映出するようにしておき、この操作スイッチのレイアウト図に対して画面上の指標を移動・確定操作して所望の操作を行うようにすることが開示されている（例えば、特許文献１参照）。
【０００５】
また、１台のリモコンで複数の被制御装置を遠隔操作可能にするシステムが提案されている。これは、リモコンに設けられたカーソル移動ボタンの操作によって、テレビジョン受像機の画面上の操作メニューを遠隔操作すると、このテレビジョン受像機内のＭＰＵがその操作に応じた制御信号を生成して、このテレビジョン受像機及びそれらの被制御装置が設置された室内の天井に取り付けられた赤外光制御信号投射装置に室内アンテナから無線で制御信号が送信され、これを受けた赤外光制御信号投射装置から同室内の目的とする被制御装置に対して赤外光によるリモートコントロール信号が投射されるようにして、その被制御装置を意図通りに制御するというものである（例えば、特許文献２参照）。
【０００６】
また一方、モニタ装置と種々の複数の録画再生装置とを外部バスで結び、このモニタ装置に対応するリモコンによって、バスで接続された録画再生装置を制御することができるようにシステムを構築するといった提案もなされている（例えば、特許文献３参照）。
【特許文献１】特開平５−３３６３９７号公報（段落００５６〜段落００６６、図６、図８）
【特許文献２】特開２００３−２０９８９５号公報（段落００１３〜段落００２１、図１、図２）
【特許文献３】特開平６−２０５２３８号公報（段落００１３〜段落００２３、図１）
【発明の開示】
【発明が解決しようとする課題】
【０００７】
しかしながら、現実に、多種多様な被制御機器の全てに対して共通のリモコンで操作可能な利便を確保することは困難であり、且つ、遠隔制御の命令コード体系が後に更改されるようなことがあった場合に、これにユーザ側で対処することはできない。
このような状況に対処する方途として、従来より、所謂ユニバーサルリモコンを用いることも周知である。一つのリモコンに種々の命令コードを予め保有させ、更には、後に追加的に登録することをも可能にして、選択した所望の被制御機器に適合した赤外光の信号を投射可能に構成して多種多様な機器の遠隔操作に適用可能にするというものである。
【０００８】
しかしながら、上述の何れの特許文献所載の従来の技術も、多種多様な被制御機器の全てに対して共通のリモコンで操作可能な利便を容易に確保するといったことや、遠隔制御の命令コード体系が後に更改されるようなことがあった場合にもユーザ側で対処できるようにするといったようなことは元々技術課題として念頭に無い技術思想であって、そのような技術課題解決の方途については別段の提案はなされていない。
【０００９】
一方、公知の所謂ユニバーサルリモコンでは、製品に付属の厖大なデータが記載された冊子に従って、登録操作を行うことにより、或る程度は拡張的に種々の機器に対応可能ではあるが、実際にはこのような登録操作は極めて煩雑なものであり、所謂一般ユーザが容易に扱えるといったものではない。
本発明は上述のような従来の技術における問題点に鑑みてなされたものであり、単一の共通の遠隔制御装置によって、複数の被制御装置を制御することが可能であり、且つ、ユーザにとって馴染み易い簡単な操作によって、後の時点でも、遠隔操作可能な被制御機器を種々発展的に拡張可能な遠隔制御信号再発信装置を提供することを目的とする。
【課題を解決するための手段】
【００１０】
上記課題を解決するべく、本願では次に列記するような技術を提案する。
（１）複数の種類の遠隔制御装置から発信される遠隔制御信号を受信し得る遠隔制御信号受信部と、一の被制御機器用の遠隔制御装置から発信される遠隔制御信号が前記遠隔制御信号受信部で受信されたときに、該受信された信号を解析して当該被制御機器の種別を判定する被制御機器判定部と、前記被制御機器判定部による判定結果に応じて、当該被制御機器の種別に適合する制御信号の命令コード体系に係る情報をワールド・ワイド・ウェブ・ページから取得する命令コード情報取得部と、前記命令コード情報取得部によって取得された命令コード体系に係る情報を保持する命令コード情報保持部と、前記命令コード情報保持部で保持された命令コード体系に係る情報に基づいて前記遠隔制御信号受信部で受信された遠隔制御信号に対応した命令コードの再発信制御信号を形成する再発信制御信号形成部と、前記再発信制御信号形成部で形成された再発信制御信号を目的とする被制御機器に伝送する再発信制御信号伝送部と、を含んで構成された遠隔制御信号再発信装置であって、
前記被制御機器判定部は、当該被制御機器に付属の遠隔制御装置からの入力信号の受信を待機し、該待機後の当初の一回の前記入力信号の受信時に前記入力信号に基づいて当該被制御機器が既に登録済のものであるか否かを判定するように構成され、且つ、前記遠隔制御信号受信部で受信された遠隔制御信号を解析した結果、当該被制御機器は本遠隔制御信号再発信装置であると判定したときには前記命令コード情報取得部を作動させず当該受信された遠隔制御信号に応じて前記再発信制御信号形成部を作動させ、当該被制御機器は本遠隔制御信号再発信装置ではないと判定したときに前記命令コード情報取得部を作動させるように構成され、更に、
無線または有線で供給される放送波を受けて該放送波に復調処理を施してトランスポートストリームを抽出し選局に応じた映像及び音声並びに番組情報を取得するためのフィルタリング処理を行う復調・フィルタリング部と、前記復調・フィルタリング部の映像出力を表示に適合する信号に変換するための処理を行う映像処理部と、前記復調・フィルタリング部の音声出力を発音を行うに適合する信号に変換する音声処理部と、前記復調・フィルタリング部の出力に含まれる番組情報を表示するための処理を行うＯＳＤ部と、前記映像処理部およびＯＳＤ部の出力に基づく映像を表示する表示装置と、前記音声処理部の出力に基づく音声を発音する発音装置と、を更に備え、前記復調・フィルタリング部、映像処理部、音声処理部、ＯＳＤ部、表示装置、および、発音装置によって本遠隔制御信号再発信装置がデジタルテレビジョン受像機としても機能し得るように構成され、更にまた、
前記被制御機器判定部による判定結果に応じて、当該被制御機器の種別に適合する遠隔操作用の制御操作パターンを表すためのパターン表示データを生成するパターン表示データ生成部と、該パターン表示データ生成部によって生成されたパターン表示データに基づいて前記ＯＳＤ部を通して前記表示装置に当該遠隔操作用の制御操作パターンを表示する制御操作パターン表示部と、を備えたことを特徴とする遠隔制御信号再発信装置。
【００１１】
上記（１）の遠隔制御信号再発信装置によれば、一の被制御機器用の遠隔制御装置から発信される遠隔制御信号が、遠隔制御信号受信部で受信されたときには、被制御機器判定部がその遠隔制御信号を解析して当該一の被制御機器の種別を判定し、該判定結果に応じて、命令コード情報取得部が当該被制御機器の種別に適合する制御信号の命令コード体系に係る情報をワールド・ワイド・ウェブ・ページから取得し、該取得された命令コード体系に係る情報は命令コード情報保持部に保持される。
【００１２】
命令コード情報保持部に当該被制御機器の種別に適合する制御信号の命令コード体系に係る情報が保持されて以降は、命令コード情報保持部で保持された命令コード体系に係る情報に基づいて、遠隔制御信号受信部で受信された遠隔制御信号の内容に対応した命令コードの再発信制御信号が再発信制御信号形成部で形成され、再発信制御信号伝送部から目的とする被制御機器に伝送される。
【００１３】
一の被制御機器用の遠隔制御装置から発信される遠隔制御信号を解析することによって当該一の被制御機器の種別を自動的に判定するため、人為的操作によって機器の種別等の情報を入力する煩雑さがなく、且つ、正確な判定を行うことができる。更に、その被制御機器に適合する制御信号の命令コード体系に係る情報をワールド・ワイド・ウェブ・ページから取得するため、用いられる可能性のあるあらゆる種類の被制御装置に関する命令コード体系の情報を予め保有しておく必要がないため、厖大な数の一度も使用されない情報を予め保有しておかなくてはならないといった無駄がなくなり、且つ、命令コード体系が改定されるなどの状況が生じたとしても、このような状況に容易に柔軟に対応することができる。
【００１４】
また、当該被制御機器が既に登録済のものであると判定されたときには重複してこの登録を行うことを回避することができる。
【００１５】
更に、本遠隔制御信号再発信装置用の遠隔制御装置からの遠隔制御信号が遠隔制御信号受信部で受信されたときには、命令コード情報取得部によって、敢えて自機の命令コード体系に係る情報をワールド・ワイド・ウェブ・ページから取得するような無駄な動作が回避される。
【００１６】
また、当該受信された遠隔制御信号に応じて、必要な場合は直ちに、再発信制御信号形成部を作動させて、速やかに、目的とする被制御機器の制御を行うことができる。
【００１７】
本遠隔制御信号再発信装置は、デジタルテレビジョン受像機としても機能しつつ、種々の被制御機器に対してセンターコントローラとして機能する。
そして、センターコントローラとしての本遠隔制御信号再発信装置に対応する遠隔制御装置によって、種々の被制御機器を遠隔制御することができる。
【００１８】
また、デジタルテレビジョン受像機として機能する本遠隔制御信号再発信装置の表示画面に被制御機器の種別に適合する遠隔操作用の制御操作パターンを映出することができる。
このため、当該制御機器に良く適合したこの制御操作パターンを目安に、操作性に優れた遠隔制御を行うことができる。
【００１９】
（２）前記遠隔制御信号受信部は、本遠隔制御信号再発信装置に付属の正規の遠隔制御装置から発信される赤外線による遠隔制御信号を受信するように構成され、且つ、前記再発信制御信号伝送部は赤外線による再発信制御信号を外部機器に伝送するように構成されていることを特徴とする（１）の遠隔制御信号再発信装置。
【００２０】
上記（２）の遠隔制御信号再発信装置によれば、（１）の遠隔制御信号再発信装置による作用において特に、本遠隔制御信号再発信装置は、極めてよく普及している一般的な赤外線遠隔制御装置（自機用の遠隔制御装置）の制御信号を種々の被制御装置を制御するために適合させるための赤外線制御信号変換装置として機能し得る。
【００２１】
即ち、本遠隔制御信号再発信装置が、種々の被制御機器に対してセンターコントローラとして機能し得る。
【００２２】
（３）前記遠隔制御信号受信部は、本遠隔制御信号再発信装置に付属の正規の遠隔制御装置から発信される赤外線による遠隔制御信号を受信するように構成され、且つ、前記再発信制御信号伝送部はＤＬＮＡ（Digital Living Network Alliance）所定のガイドラインに準拠した通信方式で外部機器との連携動作を行うためのＤＬＮＡインターフェース部によって構成されていることを特徴とする（１）の遠隔制御信号再発信装置。

【００２３】
上記（３）の遠隔制御信号再発信装置によれば、（１）の遠隔制御信号再発信装置による作用において特に、本遠隔制御信号再発信装置は、ＤＬＮＡインターフェースで結ばれた外部の種々の被制御機器に対してセンターコントローラとして機能し、自己に対応する遠隔制御装置によって、種々の被制御機器を遠隔制御することができる。
【発明を実施するための最良の形態】
【００２４】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の実施形態としての遠隔制御信号再発信装置（デジタルテレビジョン受像機本体）と遠隔制御装置（同デジタルテレビジョン受像機本体に対応するリモコン）と、被制御装置（ＰＶＲ）を含んで構成される制御システム（デジタルテレビジョン受像機を介してのＰＶＲの遠隔制御システム）を表わす概念図である。
【００２５】
図１において、遠隔制御信号再発信装置としてのデジタルテレビジョン受像機本体（以下、デジタルテレビという）はこれに対応する遠隔制御装置としてのリモコン２００から無線信号によるカーソル移動制御信号Ｓｃ及び確定制御信号Ｓｄを受けてその画面上でカーソル（例えば矢印形のカーソルポインタ等）の移動と確定動作が制御され得るように構成されている。
【００２６】
被制御装置としての例えばＰＶＲ３００はリモコン２００の操作に基づいて遠隔制御信号再発信装置としてのデジタルテレビ１００で形成される制御信号が供給されて所定の態様で作動する。
デジタルテレビ１００は、その筐体１０１のスクリーン１０２上に通常のように映像を映出すると共に、以下に詳述する遠隔制御信号再発信装置として機能するときには、所定の被制御装置（例えばＰＶＲやＶＣＲ等が該当し、図１の場合はＰＶＲ３００）の制御に対する制御操作の種別（起動、停止、ポーズ、ＥＰＧ操作等々）を特定する制御操作パターン（例えば、ＰＶＲ３００に付属の専用リモコンの操作キーの機能に相応するボタンのようなパターン表示）を制御操作パターン映出手段によって、（本体に一体的であると別体であるとを問わずに）附設された表示器の表示画面であるスクリーン１０２上に映出させる。
【００２７】
この制御操作パターンに関して、使用者が操作するリモコン２００から無線（赤外光による制御信号）によって供給されるカーソル移動制御信号Ｓｃ及び確定制御信号Ｓｄに応答してカーソルの移動と確定とが実行され、該実行されたカーソルの移動と確定に応じて制御操作の種別が確定する。該確定した制御操作の種別に対応した形式での制御信号が、被制御装置３００に供給される。この供給は、一例としては、後述するように有線によって（ＤＬＮＡに適合する信号としてケーブルを通して）伝送されるが、一般的な赤外光による制御信号としても伝播させるように構成することができる。
【００２８】
この実施の形態では、特に、デジタルテレビ１００には、その筐体１０１の下部の左右両端部近傍に各1箇所と、下端縁の左右の中間の位置に２箇所との、合計４箇所に、赤外光による制御信号（後述する、再発信制御信号）を投射する赤外光制御信号投射部１８３−１，１８３−２，１８３−３，１８３−４が設けられている。これらの赤外光制御信号投射部１８３−１，１８３−２，１８３−３，１８３−４からは同じ赤外光制御信号が投射され、元々無指向性の赤外光制御信号が異なる位置（角度）から伝播するため、デジタルテレビ１００から一定の範囲内に設置された被制御機器に対して、多少の遮蔽物があったとしても、何れかの赤外光制御信号投射部からの赤外光制御信号が確実に該当する被制御機器の受光部まで到達し得る。
【００２９】
尚、このデジタルテレビ１００では、スクリーン１０２の底辺よりも低い位置にステレオ式音響装置を構成する左側スピーカ１０３及び右側スピーカ１０４、及び、このスクリーン１０２の底辺の右直下にリモコン２００からの赤外光等による通常のような制御信号を受ける受光窓１０５が備えられている。
【００３０】
一方、リモコン２００は、通常の如く独立した筐体２０１を持つ。この筐体２０１は、この種の一般的リモコンと同様に、上面に種々の操作ボタン２０２が配され、遠隔制御信号再発信装置(デジタルテレビ１００）の表示画面（スクリーン１０２）上に映出される例えば矢印形のパターン（ポインタ）等であるカーソルをこの操作ボタン２０２のうちの一のものに対する操作に応じてカーソル移動制御信号Ｓｃを発して移動させ、操作ボタン２０２のうちの他のものに対する確定操作に応答して確定制御信号Ｓｄを形成してデジタルテレビ１００に向けて送出する。
【００３１】
図２は、図１のデジタルテレビ１００の構成を示すブロック図である。アンテナ１１０で受信された放送波は復調・フィルタリング部１２０で復調され、トランスポートストリームが抽出され、視聴者（ユーザ）による選局に応じた映像及び音声並びに番組情報を取得するためのフィルタリングが行われる。復調・フィルタリング部１２０の映像出力は映像処理部１３０に供給され、音声出力は音声処理部１４０に供給され、番組情報はＯＳＤ部１３１に供給される。
【００３２】
映像処理部１３０の出力にはＯＳＤ部１３１からの出力が重畳され、このような番組情報が重畳された映像信号により液晶表示器１６０に映像が映出されるが、液晶表示器１６０の前段には映像処理部１３０（チューナ出力）の他にＰＶＲ（Personal Video Recorder）３００等のような他の種々の映像再生装置の出力のうちの何れか一のものを選択的に表示装置に供給する入力切換部１６１が介在している。
【００３３】
尚、表示装置（本例では液晶表示器１６０）自体は、自己が保有すると外部のものであるとを問わずに適用されるものであってよい。
このデジタルテレビ１００が被制御装置の制御を行うための遠隔制御信号再発信装置として機能するときには、制御操作パターン（リモコンの操作キーの機能に相応するボタンのようなパターン表示等）を画面内の一画を占めるようにして表示し、これに重畳するようにして、当該制御操作パターン上の目的とする位置に特定の矢印型等のカーソルが表示される。
上述のような表示を一例とするこのデジタルテレビ１００のＧＵＩ（Graphical User Interface）が、ＯＳＤ部１３１から液晶表示器１６０に所定のパターンを映出するための信号を供給することによって実現されるように構成されている。
【００３４】
一方、復調・フィルタリング部１２０からの音声信号を処理する音声処理部１４０の出力は増幅器１４１を介して対応するスピーカ１４２に供給されて、ステレオ音声が発音される。このようにステレオ音声が発音されるために増幅器１４１及びスピーカ１４２は左チャンネルと右チャンネルとの２系統が用意されているが、図２では便宜的に、両系統を一まとめにして表現してある。
【００３５】
上述の復調・フィルタリング部１２０、音声処理部１４０、ＯＳＤ部１３１、及び、入力切換部１６１を含むデジタルテレビ１００の系全体を統括的に制御するマイクロプロセッサを主要な構成要素として含むシステムコントローラ１７０が設けられている。このシステムコントローラ１７０には視聴者（ユーザ）による操作を受け付ける操作キー等を含んで構成される操作部１７１の出力が供給されるようになされ、また、メモリ１７２がアクセス可能に接続されて所要のタイミングでデータ（情報）の格納と読み出しが実行される。
【００３６】
一方、図１を参照して既述の受光窓１０５の背後に、デジタルテレビ１００を遠隔制御するためのリモコン２００からの赤外光による制御信号を受けるように設けられた赤外光受光部１８１の出力もシステムコントローラ１７０に供給されるように接続されている。また、Bluetooth（登録商標）やＩＥＥＥ８０３．１１ａ乃至はＩＥＥＥ８０３．１１ｂ準拠（Ｗｉ−Ｈｉ：無線ＬＡＮのコンシューマー向けブランド名。WECA(Wireless Ethernet Compatibility Alliance)が名付けた）の無線通信を行って、後述するように、同じリモコン２００による遠隔制御信号に対応した再発信制御信号を該当する被制御機器に伝送する無線通信部１８２がシステムコントローラ１７０の管理下で作動するように接続されている。
【００３７】
上記において、赤外光受光部１８１では、対応するリモコンから与えられる、電源のオン・オフ、音量の調節等、基本的な動作の制御に関する赤外光による信号を受信する。受信された遠隔制御信号によって、他の被制御装置の制御のためでなく、このデジタルテレビ１００自体が、ユーザからの遠隔操作に応動可能であることは勿論である。このような自機の赤外光制御モードでの動作も、システムコントローラ１７０の管理下で実行可能である。
【００３８】
また、他方、この赤外光受光部１８１はシステムコントローラ１７０の該当する機能部と共にデジタルテレビ１００用のものでない複数の種類の遠隔制御装置から発信される遠隔制御信号（赤外光による制御信号）を受信し得る遠隔制御信号受信部を構成する。詳細については後述する。
更に、システムコントローラ１７０には、この種の映像機器において通常の仕様とされるＩＰ網４００との接続を可能にするためのＩＰ網インターフェース部１５１が接続されている。本例のデジタルテレビ１００は、このＩＰ網インターフェース部１５１を通してＩＰ網４００と、従って、ＩＰ網４００を介してサーバ４５０のような情報源と結ばれてワールド・ワイド・ウェブ・ページから情報を取得する等、広範囲に情報の授受を行うことが可能である。
【００３９】
周知の通り、ワールド・ワイド・ウェブ・ページは、殆どの場合、ＨＴＭＬに従った形式をとる。上述の情報の授受もネットワーク（ＩＰ網４００）に接続された情報源の提供するＨＴＭＬに従った形式のデータの転送といった形で実行される。
本実施の形態では特に、このＩＰ網インターフェース部１５１はシステムコントローラ１７０の該当する機能部と共に被制御機器の種別に適合する制御信号の命令コード体系に係る情報をワールド・ワイド・ウェブ・ページから取得する命令コード情報取得部を構成している。これについては更に後述する。
【００４０】
また、このＩＰ網４００を介してパケットデータの授受を行い得るように構成された他機のチューナ１２１に選曲等のコマンドを供給することもできる。
更にまた、所謂ホーム・ネットワークでデジタルＡＶ機器同士やパーソナルコンピュータを相互に接続し、動画、音楽、静止画等のデータを相互利用する仕様に係るＤＬＮＡ（Digital Living Network Alliance）所定のガイドラインに準拠した通信方式でＰＶＲ等の外部機器との接続を行うためのＤＬＮＡインターフェース部１５２もシステムコントローラ１７０に接続されている。図示の例では、このＤＬＮＡインターフェース部１５２を通してデジタルテレビ１００とＰＶＲ３００（ＰＶＲ−１）とはその操作に係る制御信号の授受を行う。
【００４１】
システムコントローラ１７０はその各該当する機能部の働きによって本装置の枢要な構成要件としての各手段乃至それを構成する部分として機能するようになされている。
即ち、所定の被制御装置（例えば、ＰＶＲやＶＣＲ等）の制御に対する制御操作の種別に相応する制御操作パターン（例えば、ＰＶＲやＶＣＲ等に各付属する専用のリモコンの操作キーの機能に相応するボタンを表すようなパターン）を、ＯＳＤ部１３１とシステムコントローラ１７０の該当する機能部によって表示画面上に映出させることができる。
【００４２】
また、表示画面上に映出された制御操作パターンにおける一の制御操作の種別を表す部位にリモコン２００からのカーソル移動制御信号Ｓｃに応答して移動したカーソルが位置したときに確定制御信号Ｓｄに応答して当該カーソルの位置に関する確定操作の認識をしたときには、当該一の制御操作の種別に相応した制御信号を生成する。
制御信号の授受は有線であってもよく、また、無線であってもよい。無線による場合は、典型的には、図１を参照して説明した赤外光制御信号投射部１８３−１，１８３−２，１８３−３，１８３−４から、該当する被制御機器に対して赤外光制御信号（再発信制御信号）を投射する。本デジタルテレビ１００の場合、制御信号としての既述の再発信制御信号伝送部を、システムコントローラ１７０にその管理下で作動するように接続された赤外光投射部１８３（図１における赤外光制御信号投射部１８３−１，１８３−２，１８３−３，１８３−４に相応する）とシステムコントローラ１７０の該当する機能部によって構成し得る。
【００４３】
この構成を備える場合は、遠隔制御信号再発信装置と各種の被制御装置（図ではＰＶＲ３００、即ち、ＰＶＲ−２を例示）との関係は、よく普及している赤外光式のリモコンでそれらの被制御装置を操作する場合と全く同様であり、被制御装置側は従前のような形式のものまでを含み極めて多岐に亘る機種を、本発明のデジタルテレビ１００がセンターコントローラとなって、制御し得ることになる。
【００４４】
尚、無線によるものでは、この他、既述のBluetooth（登録商標）やＩＥＥＥ８０３．１１ａ乃至はＩＥＥＥ８０３．１１ｂ準拠（Ｗｉ−Ｈｉ）の無線通信を利用して再発信制御信号を送信するように構成することもできる。
他方、有線によるものとして、既述のＤＬＮＡ準拠の通信方式が利用される。
ユーザによる操作部１７１に対する映像情報源を選択するための操作、或いは、遠隔操作に基づいて赤外光受光部１８１で受けた映像情報源を選択する信号に応じて、システムコントローラ１７０から入力切換部１６１に与えられる指令に応じて、この入力切換部１６１が液晶表示器１６０に供給する映像情報源を選択する。これによって、映像処理部の出力（チューナ出力）、又は、ＰＶＲ３００の再生出力、若しくは、その他の映像信号源からの出力がユーザの任意に応じて選択されて液晶表示器１６０に供給され映像が映出されることになる。
【００４５】
図３は、図２のシステムにおけるシステムコントローラについて、本実施の形態に関係する枢要な機能を説明するための概念図である。図３において、例えば、メーカや型番の異なるＰＶＲに夫々付属した各個の被制御装置に係る正規の各リモコン等のような、複数の種類の遠隔制御装置から発信される遠隔制御信号を受信し得る遠隔制御信号受信部１７０１（特にその受信信号認識機能部がシステムコントローラの機能によって構成されるが、以下、説明の便宜上、上記の遠隔制御信号を受信し得る機能部を代表的に遠隔制御信号受信部１７０１とする）が図２の赤外線受光部１８１と関連して構成されている。
【００４６】
複数の種類の遠隔制御装置のうち、一の被制御機器用の遠隔制御装置から発信される遠隔制御信号（例えば、赤外線のリモコン信号）が遠隔制御信号受信部１７０１で受信されたときに、この受信された信号を解析してその遠隔制御信号を発した遠隔制御装置（リモコン）に対応する本体機器たる被制御機器の種別を判定する被制御機器判定部１７０２が遠隔制御信号受信部１７０１と関連する機能部として設定される。
【００４７】
更に、被制御機器判定部１７０２による被制御機器の種別に関する判定結果に応じて、その被制御機器の種別に適合する制御信号の命令コード体系に係る情報をワールド・ワイド・ウェブ・ページから取得する命令コード情報取得部１７０３が、被制御機器判定部１７０２および図２を参照して既述のＩＰ網インターフェース部１５１と関連して設定される。即ち、命令コード情報取得部１７０３は、例えば、サーバ４５０等のサイトにアクセス可能に準備される等してワールド・ワイド・ウェブ・ページに公開されている種々の被制御装置用の遠隔制御装置（リモコン）の命令コード体系のデータ等の情報のうちから、被制御機器判定部１７０２によって判定された被制御機器に該当する情報を取得する。
【００４８】
命令コード情報取得部１７０３によって取得された命令コード体系に係る情報は、図２のメモリ１７２と関連して設定された命令コード情報保持部１７０４で保持される。この命令コード情報保持部１７０４で保持された命令コード体系に係る情報に基づいて遠隔制御信号受信部１７０１で受信された遠隔制御信号に対応した命令コードの再発信制御信号を形成する再発信制御信号形成部１７０５が設定されている。更に、再発信制御信号形成部１７０５で形成された再発信制御信号を、目的とするＰＶＲ等の被制御機器に、例えば、赤外線リモコン信号の形態で伝送する再発信制御信号伝送部１７０６が、図２の赤外線投射部１８３と関連して設定されている。
【００４９】
更に、被制御機器判定部１７０２による判定結果に応じて、判定された被制御機器の種別に適合する遠隔操作用の制御操作パターン（例えば、その被制御機器に附属のリモコンの操作キーのレイアウト図のようなパターン）を表示画面に映出するためのパターン表示データを生成するパターン表示データ生成部１７０７と、このパターン表示データ生成部１７０７によって生成されたパターン表示データに基づいてＯＳＤ部１３１を通して表示器１６０にその遠隔操作用の制御操作パターンを表示する制御操作パターン表示部（表示用データ送出機能部）１７０８が設定されている。
【００５０】
上記の構成において、例えば、或るＰＶＲ等の一の被制御機器用の遠隔制御装置（赤外線リモコン）から発信される遠隔制御信号が、遠隔制御信号受信部１７０１で受信されたときには、被制御機器判定部１７０２がその遠隔制御信号を解析、例えばメモリ１７２に予め準備された機種コードデータのテーブルを参照する等して、その遠隔制御装置に対応する本体機器としての被制御機器の種別を判定する。
【００５１】
このようにして被制御機器の種別が判定されると、判定された被制御機器の種別に応じて、命令コード情報取得部１７０３が、ＩＰ網インターフェース部１５１、ＩＰ網４００を介してサーバ４５０のような情報源たるサイト、即ち、ワールド・ワイド・ウェブ・ページから、その被制御機器の種別に適合する制御信号の命令コード体系に係る情報を取得し、取得された命令コード体系に係る情報は命令コード情報保持部に保持される。
【００５２】
命令コード情報保持部１７０４（メモリ１７２）に被制御機器の種別に適合する制御信号の命令コード体系に係る情報が保持されて以降は、上述のようにして保持された命令コード体系に係る情報に基づいて、遠隔制御信号受信部１７０１で受信された遠隔制御信号に対応した命令コードの再発信制御信号（赤外線リモコン信号の元になるコード）が再発信制御信号形成部１７０５で形成され、再発信制御信号伝送部１７０６から目的とする被制御機器に伝送（投射）される。尚、再発信制御信号伝送部１７０６からの再発信制御信号は、赤外光投射部１８３、即ち、図１を参照して説明した赤外光制御信号投射部１８３−１，１８３−２，１８３−３，１８３−４から、該当する被制御機器に対して赤外光制御信号を投射する。また、他方、一つの実施の形態では、再発信制御信号伝送部１７０６からの再発信制御信号は、既述の無線通信部１８２を通してBluetooth（登録商標）やＩＥＥＥ８０３．１１ａ乃至はＩＥＥＥ８０３．１１ｂ準拠（Ｗｉ−Ｈｉ)の無線通信によっても被制御機器に伝送され得る。
【００５３】
通常のユーザにとっては正確な型式等までは必ずしも明確には認識され難い被制御機器について、それ専用の（或いは、専用ならずとも、付属の）遠隔制御装置（リモコン）から発信される遠隔制御信号を解析することによって、その被制御機器の種別を的確に特定するに十分なデータが自動的に認識されるため、人為的操作によって機器の種別等の情報を入力する煩雑さがなく、且つ、正確な判定（認識）を行うことができる。
【００５４】
更に、その被制御機器に適合する制御信号の命令コード体系に係る情報をワールド・ワイド・ウェブ・ページから取得するため、仮にも将来的には用いられる可能性があると予測されるあらゆる種類の被制御装置に関する命令コード体系の情報を予め保有しておく必要がなくなり、厖大な数の一度も使用されない情報を予め保有しておかなくてはならないといった無駄を排除することができ、且つ、命令コード体系が改定されるなどの状況が生じたとしても、このような状況に容易に柔軟に対応することができる。
【００５５】
図３を参照して説明した構成おいて、被制御機器判定部１７０２が、当該被制御機器は本遠隔制御信号再発信装置（即ち、デジタルテレビ１００）自体であると判定したときにも、命令コード情報取得部１７０３を作動させて自機の命令コード情報までも敢えて取得するといった無駄なことはせず、当該受信された遠隔制御信号に応じて命令コード情報保持部１７０４（メモリ１７２）に既に保持してある命令コードの対照データに依拠して被制御機器再発信制御信号形成部１７０５を作動させ（従って、結果的に、赤外光投射部１８３からリモコン信号を投射せしめて）、自機のリモコンで、目的とする被制御機器を制御する。尚、敢えて自機の命令コード情報を取得する場合（命令コード更改時における対処等のとき）に、手動にてこの取得を行うモードに設定可能に構成する。
【００５６】
一方、被制御機器判定部１７０２が、当該被制御機器は本遠隔制御信号再発信装置（即ち、デジタルテレビ１００）ではないと判定したときには、命令コード情報取得部１７０３を作動する。但し、この場合も、その被制御機器に関する命令コード情報は既に取得されたものであるときには、重ねて命令コード体系に係る情報をワールド・ワイド・ウェブ・ページから取得するような無駄な動作を省くように構成してもよい。
【００５７】
即ち、本発明の実施の形態としての装置（以下、適宜、本装置という）では、本遠隔制御信号再発信装置（本例では、デジタルテレビ１００としても機能する）用の遠隔制御装置以外の、他の被制御機器用の遠隔制御装置は、原則的には、本装置に対して当初の一回のみ遠隔制御信号を投射すれば、上述のようにして、その被制御機器の命令コード体系に係る情報がワールド・ワイド・ウェブ・ページから取得されて保持されるため、これ以降は、本装置用の遠隔制御装置を共通に用いて、命令コード体系の情報が既得の種々の被制御機器を自在に制御することが可能になる。尚、この場合、上述の他の被制御機器用の遠隔制御装置の操作キーのレイアウトのようなパターンが、既述のパターン表示データ生成部１７０７と制御操作パターン表示部１７０８によって表示器１６０に表示されるため、ユーザはこの表示上をカーソルのパターンを移動させ、確定操作しながら、所望の遠隔操作を行う。この様子については、図４および図５等を参照して更に後述する。
【００５８】
図２を参照して説明したように、本装置はデジタルテレビジョン受像機としても機能しつつ、種々の被制御機器に対してセンターコントローラとして機能し、自己に対応する遠隔制御装置（極めてよく普及している一般的な赤外線リモコンであってよい）によって、種々の被制御機器を遠隔制御することができる。また上述のセンターコントローラに対応する被制御機器は、図２を参照して既述のＤＬＮＡインターフェースで結ばれた外部の種々の被制御機器であり得る。
【００５９】
図４は、本発明の実施の形態としての遠隔制御信号再発信装置であるデジタルテレビの制御モードにおけるスクリーン上での表示例を表す図である。
図５は、図４の実施の形態の変形例としての遠隔制御信号再発信装置であるデジタルテレビの制御モードにおけるスクリーン上での表示例を表す図である。
図６は本発明の実施の形態としての遠隔制御信号再発信装置の制御モードにおける動作を表すフローチャートである。
【００６０】
次に、図６のフローチャートに沿って、適宜、図４及び図５等を参照しつつ遠隔制御信号再発信装置の動作について説明する。遠隔制御信号再発信装置が起動された後、それ自体は一般的なデジタルテレビ１００用のリモコン２００を用いて所定の操作をすることによって、赤外光等による通常のような制御信号をデジタルテレビ１００の受光窓１０５に（従って、図２の赤外光受光部１８１に）与えて、このデジタルテレビを介して被制御装置を制御する制御モードにすることができる。尚、図２および図３を参照して説明したようにして、目的とする被制御機器を制御するための命令コード体系に関する情報は既に取得してあるものとする。
【００６１】
制御モードに遷移すると、選択されている被制御装置を識別する動作が開始する（ステップＳ６０１）。被制御装置の選択は、例えば、制御モードの設定操作と同様に、リモコン２００の操作によって赤外光による通常のような制御信号をデジタルテレビ１００に与えることによって行われるが、その他の方法として、デジタルテレビ１００の起動の当初に、被制御装置を選択するための画面が映出されるようにして、その画面に対して、所定の操作ボタンや所謂十字キー等を操作することによってカーソルの移動と確定の操作を行って選択するようにしてもよい。
【００６２】
選択された被制御装置が液晶表示器１６０に接続されるべき映像機器である場合は、当該被制御装置の出力が、図２を参照して説明した入力切換部１６１を通してこの液晶表示器１６０に供給されるように回路が切換えられる。
被制御装置の選択乃至接続が識別されるのを待機し（ステップＳ６０２）、識別されたときには、スクリーン１０２の表示態様を制御操作パターン映出表示にする（ステップＳ６０３）。図４及び図５にこの制御操作パターン映出表示の例が夫々示されている。
【００６３】
図４の表示例では、映像表示領域Ｄ４１をスクリーン１０２の左上方向に少し縮小し、スクリーン１０２右端及び下端に沿った各一定幅の帯状の領域Ｄ４２１，Ｄ４２２がスクリーン１０２の右下で直交したような形状で単色の地色の制御情報表示領域Ｄ４２が設定される。
領域Ｄ４２１には被制御装置に対する制御操作の種別（起動、停止、ポーズ、ＥＰＧ操作等々）を特定する制御操作パターン（例えば、ＰＶＲに付属の専用リモコンの操作キーの機能に相応するボタンのようなパターン表示）を制御操作パターン映出手段によって映出する。
【００６４】
一方、図５の表示例では、スクリーン１０２の全域を映像表示領域Ｄ５１とし、この映像表示領域Ｄ５１のうち相対的に周辺部に偏った部位（図示の例では右上に偏った部位）Ｄ５２に制御操作パターンをスーパーインポーズする。
ステップＳ６０３に次いで、識別された被制御装置の名称或いは略称等をスクリーン１０２に表示する（ステップＳ６０４）。図４の表示例では、画面下部の制御情報表示領域Ｄ４２２に「ＰＶＲ−１」と表示し、図５の表示例では、スクリーン１０２の右上の部位Ｄ５２に「ＰＶＲ−１」とスーパーインポーズする。
【００６５】
次いで、リモコン２００からのカーソル移動制御信号Ｓｃの受信動作に移行する（ステップＳ６０５）。カーソル移動制御信号Ｓｃが受信されるのを待機し（ステップＳ６０６）、受信される毎に、該受信されたカーソル移動制御信号Ｓｃに対応する位置にカーソルを移動させる（ステップＳ６０７）。このようなカーソル移動動作は、ステップＳ６０７に次いで、リモコン２００からの確定制御信号Ｓｄを受信する動作に移行して（ステップＳ６０８）、この確定制御信号Ｓｄが受信される（ステップＳ６０９）まで繰り返される。
【００６６】
この結果、カーソルは使用者の意図した位置に移動するまで繰り返し移動し、確定制御信号Ｓｄの受信が認識された位置（例えば、ＰＶＲに付属の専用リモコンの操作キーの機能に相応するボタンのようなパターン表示の何れかの部分に重なる位置）に応じて制御操作特定信号が形成される（ステップＳ６１０）。図４の例では、制御情報表示領域Ｄ４２１におけるボタンのようなパターン表示の上に、矢印形のカーソルＣＵが位置し、図５の例では、スクリーン１０２の右上の部位Ｄ５２におけるボタンのようなパターン表示の上に、矢印形のカーソルＣＵが位置し、各位置に応じた制御操作特定信号が形成される。
【００６７】
制御操作特定信号は制御操作の種別（起動、停止、ポーズ、ＥＰＧ操作等々）を特定するものであり、この信号が、図２および図３を参照して説明した該当する各機能部によって、被制御装置（上述の例ではＰＶＲ−１）に適合した再発信制御信号が形成される（ステップＳ６１１）。
ステップＳ６１１で形成された再発信制御信号は、例えば、図２を参照して説明した赤外光投射部１８３とシステムコントローラ１７０の該当する機能部によって構成された再発信制御信号伝送部によって、赤外光の制御信号として当該被制御装置に送出（リモコン２００からの制御信号の発信から見れば「再発信」）される（ステップＳ６１２）。尚、既述のように、再発信制御信号伝送部は、上述のような態様の他、ＤＬＮＡインターフェース部１５２とシステムコントローラ１７０の該当する機能部によって構成され得る。これらの態様の再発信制御信号伝送部によって当該被制御装置に再発信制御信号が送出される状況は、図２を参照して説明したとおりである。
【００６８】
上記に説明したような遠隔制御信号再発信装置（デジタルテレビ）によれば、制御操作の種別に対応する個々の被制御装置毎の被制御装置制御信号の関係を特定するテーブルデータを図３の命令コード情報保持部１７０４（およびメモリ１７２）を参照することによって、一の遠隔制御装置と一の遠隔制御信号再発信装置との組み合わせによって、多数の、乃至は、多種の被制御装置を夫々制御するための再発信制御信号を得て、これらの各個の被制御装置を制御することができる。
【００６９】
以上において参照した図４おいて、スクリーン１０２上の領域Ｄ４２２の右寄りに破線図示のパターンＰ４は、領域Ｄ４２１に表示された標準的な汎用の制御モードでの制御動作（制御操作パターン）にはない特定の被制御装置（機種）に関して特有の、特殊キーでの制御を行うために用いられる制御キー（ボタン）のパターンである。このような特殊キーでの制御を行うモードへは、所要に応じて、標準的な汎用の制御モードの中から操作を行って遷移し、そのモードでこれらの特殊キーの機能を使用することになる。
【００７０】
同様に、図５において、スクリーン１０２上の右下の部位Ｄ５２３にスーパーインポーズされる破線図示のパターンＰ５は、Ｄ５２の部位に表示された標準的な汎用の制御モードでの制御動作（制御操作パターン）にはない特定の被制御装置（機種）に関して特有の、特殊な制御を行うために用いられる制御キー（ボタン）のパターンである。図４のものと同様、このような特殊キーでの制御を行うモードへは、所要に応じて、標準的な汎用の制御モードの中から操作を行って遷移し、そのモードでこれらの特殊キーの機能を使用することになる。
【００７１】
図７、及び、図８は、遠隔制御信号再発信装置（デジタルテレビ）に図６のような動作を行うことを可能にする機能が付与されるに際しての準備動作を表すフローチャートであり、特に、図６のフローチャートにおけるステップＳ６１１、Ｓ６１２で、本遠隔制御信号再発信装置が被制御装置の機種毎に適合した被制御装置制御信号を形成し、送出する機能を果たすことが可能になるための準備動作に関するものである。
【００７２】
図７は、遠隔制御信号再発信装置（デジタルテレビ１００）に対し、例えば、ＰＶＲやＶＣＲ等のような被制御装置毎に、各機種毎に付属の専用リモコンのものと同じ赤外光による制御信号としての被制御装置制御信号を形成し送出することを可能にさせるための信号変換テーブルが、例えば図２を参照して説明したメモリ１７２、従って、図３参照して説明した命令コード情報保持部１７０４に登録されるときの準備動作の概要を表すフローチャートである。
【００７３】
先ず、使用者が既述のリモコン２００の赤外光による基本操作機能を用いる等してモード選択を行うと、本遠隔制御信号再発信装置１００が登録モードになる（ステップＳ７０１）。次いで使用者が行う選択操作によって、被制御装置（例えば、ＰＶＲ−１）に付属の赤外光リモコンからの赤外光の受光を待機する動作に入る（ステップＳ７０２）。
次いで、該当するリモコンからの赤外光の入力を待機し（ステップＳ７０３）、赤外光受光部１８１、遠隔制御信号受信部１７０１（図３）に入力があったときには、その入力に基づいてその被制御装置がそれに関する赤外光のデータが既に登録済みの機器（機種）であるか否かを判定する（ステップＳ７０４）。
【００７４】
ステップＳ７０４で、被制御装置がそれに関する赤外光のデータが既に登録済みの機器（機種）ではないと判定されたときには、次のステップＳ７０５で新たにその被制御装置に関する情報（赤外光の信号に関する命令コード体系のデータ）を取得するための命令コード体系の情報取得のルーチンに入り、被制御装置がそれに関する赤外光のデータが既に登録済みの機器（機種）であると判定されたときには、使用者による確認を俟って（ステップＳ７０６）、使用者の判断が肯定的であるとき（ステップＳ７０７、ＹＥＳ）にはこの準備操作を終了する。尚、使用者の判断が肯定的でないとき（ステップＳ７０７、ＮＯ）にはステップＳ７０１に戻る。
【００７５】
図８は、図７のフローチャートにおけるステップＳ７０５の機器情報取得ルーチンの内容を表すフローチャートである。被制御装置に関する情報（赤外光の信号に関する命令コード体系に関するデータ）を図２のＩＰ網４００を通してサーバ４５０に接続し、このサーバ４５０から、即ち、ワールド・ワイド・ウェブ・ページから、当該情報（データ）を取得するモードが選択されているか否かを判定し（ステップＳ８０１）、サーバに接続してデータを取得するモードが選択されているときにはそのサーバに該当する被制御装置に関する赤外光のデータが保有されているか否かを判定する（ステップＳ８０２）。
【００７６】
ステップＳ８０２で、そのサーバに、該当する被制御装置に関する赤外光のデータが保有されていると判定されたときには、該当するデータを所定のルート（図２では、サーバ４５０→ＩＰ網４００→ＩＰ網インターフェース部１５１→システムコントローラ１７０）で取得し（ステップＳ８０３）、メモリ１７２に登録する（ステップＳ８０４）。
ステップＳ８０１でサーバに接続してデータを取得するモードが選択されていないときには使用者が手動で所要のデータを設定する（ステップＳ８０５）。
【００７７】
以上、図８のフローチャートのステップＳ８０２〜ステップＳ８０４に基づいて説明した態様の装置では、外部のワールド・ワイド・ウェブ上でアクセスされるデータベース等からデータ取得手段（図３では、命令コード情報取得部１７０３）によってＩＰ網の信号伝送路を通して取得したデータで構成されたテーブルデータを参照して、再発信制御信号を形成できるようになるため、テーブルデータに係るデータの更新等についても容易に対応することができる。
【００７８】
尚、図４及び図５のスクリーン上での表示例については、制御操作パターン映出手段によって映出される制御操作パターンは、標準的な汎用の制御モードでの制御動作に沿うような、必ずしも各個の被制御装置に対応するようなもの（例えば、各個の機器に付属の専用のリモコンの操作キーのレイアウトに相似のもの）ではないように説明したが、各個の被制御装置に夫々対応する制御操作パターンをスクリーンに映出して、これを用いてそれらの被制御装置を制御するように構成する技術思想をも包摂していることは勿論である。
【図面の簡単な説明】
【００７９】
【図１】本発明の実施形態としての制御システムを表わす概念図である。
【図２】図１の制御システムにおける遠隔制御信号再発信装置としてのデジタルテレビの構成を示すブロック図である。
【図３】図２のシステムにおけるシステムコントローラについて、本実施の形態に関係する枢要な機能を説明するための概念図である。
【図４】本発明の実施の形態としての遠隔制御信号再発信装置であるデジタルテレビの制御モードにおけるスクリーン上での表示例を表す図である。
【図５】図４の実施の形態の変形例としての遠隔制御信号再発信装置であるデジタルテレビの制御モードにおけるスクリーン上での表示例を表す図である。
【図６】本発明の実施の形態としての遠隔制御信号再発信装置の制御モードにおける動作を表すフローチャートである。
【図７】図６の動作を可能にする機能が付与されるための準備動作を表すフローチャートである。
【図８】図６の動作を可能にする機能が付与されるための準備動作を表すフローチャートである。
【符号の説明】
【００８０】
１００…デジタルテレビ  １０１…筐体  １０２…スクリーン  １０３…左側スピーカ  １０４…右側スピーカ  １０５…受光窓  １１０…アンテナ  １２０…復調・フィルタリング部  １２１…チューナ  １３０…映像処理部  １３１…ＯＳＤ部  １４０…音声処理部  １４１…増幅器  １４２…スピーカ  １５１…ＩＰ網インターフェース部  １５２…ＤＬＮＡインターフェース部  １６０…液晶表示器  １６１…入力切換部  １７０…システムコントローラ  １７１…操作部  １７２…メモリ  １８１…赤外光受光部  １８２…無線通信部  １８３…赤外光投射部  ２００…リモコン  ２０１…筐体    ２０２…確定操作ボタン  ２１１…相対位置検出手段  ２１２…検出特性調整部  ２２０…赤外光制御信号投射部  ２３０…システムコントローラ  ２３１…確定操作受付部    ２３２…メモリ  ３００，３０１…ＰＶＲ  ４００…ＩＰ網  ４５０…サーバ  １７０１…遠隔制御信号受信部  １７０２…被制御機器判定部  １７０３…命令コード情報取得部  １７０４…命令コード情報保持部  １７０５…再発信制御信号形成部  １７０６…再発信制御信号伝送部  １７０７…パターン表示データ生成部  １７０８…制御操作パターン表示部
【図１】
0004640038.tif 000002
【図２】
0004640038.tif 000003
【図３】
0004640038.tif 000004
【図４】
0004640038.tif 000005
【図５】
0004640038.tif 000006
【図６】
0004640038.tif 000007
【図７】
0004640038.tif 000008
【図８】
0004640038.tif 000009